(57)【特許請求の範囲】
【請求項１】
サーバーが、端末でユーザに提示するためのリッチテキスト情報を設定するステップと、
サーバーが、現在管理する前記端末の識別情報に基づき、対応するリッチテキスト情報を選択して、オープンモバイルアライアンスが規定している端末管理ＯＭＡ-ＤＭプロトコルの通知命令の新しく増加した拡張フィールドに加え、且つ前記通知命令を前記端末に送信し、前記端末が前記リッチテキスト情報に基づきユーザに提示するようにするステップと、を含む端末管理方法。
【請求項２】
前記リッチテキスト情報を前記拡張フィールドに加える前に、前記リッチテキスト情報をコーディングして、前記リッチテキスト情報をコーディングするコーディングフォーマット情報を前記拡張フィールドに加えて、前記端末が前記リッチテキスト情報をデコーディングするようにするステップ、
或いは、
前記リッチテキスト情報を前記拡張フィールドに加える前に、前記リッチテキスト情報を暗号化して、前記リッチテキスト情報を暗号化する暗号化アルゴリズム情報を前記拡張フィールドに加えて、前記端末が前記リッチテキスト情報を復号化するようにするステップ、
或いは、
前記リッチテキスト情報を前記拡張フィールドに加える前に、前記リッチテキスト情報を暗号化してコーディングし、前記リッチテキスト情報をコーディングするコーディングフォーマット情報及び前記リッチテキスト情報を暗号化する暗号化アルゴリズム情報を前記拡張フィールドに加えて、前記端末が前記リッチテキスト情報をデコーディングして復号化するようにするステップを更に含む請求項１に記載の端末管理方法。
【請求項３】
前記リッチテキスト情報は、ハイパーテキストマークアップ言語ＨＴＭＬフォーマットデータ或いはウェブアドレスを含む請求項１又は２に記載の端末管理方法。
【請求項４】
端末が、オープンモバイルアライアンスが規定している端末管理ＯＭＡ-ＤＭプロトコルの通知命令の新しく増加した拡張フィールドからリッチテキスト情報を抽出し、前記リッチテキスト情報に基づきユーザに提示するステップを含み、
前記リッチテキスト情報に基づきユーザに提示する前に、
前記通知命令の拡張フィールドからコーディングフォーマット情報を抽出して、それから前記コーディングフォーマット情報に基づき前記リッチテキスト情報をデコーディングし、
或いは、
前記通知命令の拡張フィールドから暗号化アルゴリズム情報を抽出して、前記暗号化アルゴリズム情報に基づき前記リッチテキスト情報を復号化し、
或いは、
前記通知命令の拡張フィールドからコーディングフォーマット情報及び暗号化アルゴリズム情報を抽出して、前記コーディングフォーマット情報及び暗号化アルゴリズム情報に基づき、前記リッチテキスト情報をデコーディングして復号化する端末管理方法。
【請求項５】
前記リッチテキスト情報は、ハイパーテキストマークアップ言語ＨＴＭＬフォーマットデータを含み、前記リッチテキスト情報に基づきユーザに提示するステップは、前記端末がローカルのブラウザコントロールをコールして前記ＨＴＭＬフォーマットデータを表示することを含み、或いは
前記リッチテキスト情報は、ウェブアドレスを含み、前記リッチテキスト情報に基づきユーザに提示するステップは、前記端末がローカルのブラウザコントロールをコールして前記ウェブアドレスを開き、且つ前記ウェブアドレスに対応するウェブページ内容を表示することを含む請求項４に記載の端末管理方法。
【請求項６】
サーバーが、端末でユーザに提示するためのリッチテキスト情報を設定するステップと、
前記サーバーが、現在管理する端末の識別情報に基づき、対応するリッチテキスト情報を選択して、オープンモバイルアライアンスが規定している端末管理ＯＭＡ-ＤＭプロトコルの通知命令の新しく増加した拡張フィールドに加え、且つ前記通知命令を前記端末に送信するステップと、
前記端末が、ＯＭＡ-ＤＭプロトコルの通知命令の新しく増加した拡張フィールドからリッチテキスト情報を抽出し、前記リッチテキスト情報に基づきユーザに提示するステップと、を含む端末管理方法。
【請求項７】
設定モジュール、処理モジュール及び送信モジュールを含み、
前記設定モジュールは、端末にユーザに提示するためのリッチテキスト情報を設定するように設定され、
前記処理モジュールは、現在管理する端末の識別情報に基づき、対応するリッチテキスト情報を選択して、オープンモバイルアライアンスが規定している端末管理ＯＭＡ-ＤＭプロトコルの通知命令の新しく増加した拡張フィールドに加えるように設定され、
前記送信モジュールは、前記通知命令を前記端末に送信して、前記端末が前記リッチテキスト情報に基づきユーザを提示するように設定される
サーバー。
【請求項８】
前記サーバーは、コーディングモジュールを更に含み、前記コーディングモジュールは、前記処理モジュールが前記リッチテキスト情報を前記拡張フィールドに加える前に、前記リッチテキスト情報をコーディングするように設定され、
前記処理モジュールは更に、前記コーディングモジュールが前記リッチテキスト情報をコーディングするコーディングフォーマット情報を前記拡張フィールドに加え、前記端末が前記リッチテキスト情報をデコーディングするように設定され、
或いは、
前記サーバーは、暗号化モジュールを更に含み、前記暗号化モジュールは、前記処理モジュールが前記リッチテキスト情報を前記拡張フィールドに加える前に、前記リッチテキスト情報を暗号化するように設定され、
前記処理モジュールは更に、前記暗号化モジュールが前記リッチテキスト情報を暗号化する暗号化アルゴリズム情報を前記拡張フィールドに加え、前記端末が前記リッチテキスト情報を復号化するように設定され、
或いは、
前記サーバーは、暗号化モジュール及びコーディングモジュールを更に含み、前記暗号化モジュールは、前記処理モジュールが前記リッチテキスト情報を前記拡張フィールドに加える前に、前記リッチテキスト情報を暗号化するように設定され、
前記コーディングモジュールは、前記暗号化モジュールが暗号化した前記リッチテキスト情報をコーディングするように設定され、
前記処理モジュールは更に、前記リッチテキスト情報をコーディングするコーディングフォーマット情報及び前記リッチテキスト情報を暗号化する暗号化アルゴリズム情報を前記拡張フィールドに加えて、前記端末が前記リッチテキスト情報をデコーディングして復号化するように設定される請求項７に記載のサーバー。
【請求項９】
前記リッチテキスト情報は、ハイパーテキストマークアップ言語ＨＴＭＬフォーマットデータ或いはウェブアドレスを含む請求項７又は８に記載のサーバー。
【請求項１０】
端末であって、
抽出モジュールと提示モジュールを含み、
前記抽出モジュールは、オープンモバイルアライアンスが規定している端末管理ＯＭＡ-ＤＭプロトコルの通知命令の新しく増加した拡張フィールドからリッチテキスト情報を抽出するように設定され、
前記提示モジュールは、前記リッチテキスト情報に基づきユーザに提示するように設定され、
前記端末は、デコーディングモジュールを更に含み、前記抽出モジュールは更に、前記通知命令の拡張フィールドからコーディングフォーマット情報を抽出するように設定され、前記デコーディングモジュールは、提示モジュールが前記リッチテキスト情報に基づきユーザに提示する前に、前記コーディングフォーマット情報に基づき前記リッチテキスト情報をデコーディングするように設定され、
或いは、
前記端末は、復号化モジュールを更に含み、前記抽出モジュールは更に、前記通知命令の拡張フィールドから暗号化アルゴリズム情報を抽出するように設定され、前記復号化モジュールは、提示モジュールが前記リッチテキスト情報に基づきユーザに提示する前、前記暗号化アルゴリズム情報に基づき前記リッチテキスト情報を復号化するように設定され、
或いは、
前記端末は、デコーディングモジュール及び復号化モジュールを更に含み、前記抽出モジュールは更に、前記通知命令の拡張フィールドからコーディングフォーマット情報及び暗号化アルゴリズム情報を抽出するように設定され、前記デコーディングモジュールは、提示モジュールが前記リッチテキスト情報に基づきユーザに提示する前に、前記コーディングフォーマット情報に基づき前記リッチテキスト情報をデコーディングするように設定され、前記復号化モジュールは、提示モジュールが前記リッチテキスト情報に基づきユーザに提示する前に、前記暗号化アルゴリズム情報に基づき前記デコーディングモジュールがデコーディングしたリッチテキスト情報を復号化するように設定される端末。
【請求項１１】
前記提示モジュールは、前記リッチテキスト情報がＨＴＭＬフォーマットデータを含む際に、前記端末のローカルのブラウザコントロールをコールして前記ＨＴＭＬフォーマットデータを表示し、前記リッチテキスト情報がウェブアドレスを含む際に、端末のローカルのブラウザコントロールをコールして前記ウェブアドレスを開き、且つ前記ウェブアドレスに対応するウェブページ内容を表示するように設定される請求項１０に記載の端末。
【請求項１２】
請求項７−９のいずれか一項に記載のサーバーと、請求項１０又は１１に記載の端末とを含む端末管理システム。
【請求項１３】
プログラム命令を含み、該プログラム命令がサーバーによって実行される際に、該サーバーに請求項１−３のいずれか一項に記載の方法を実行させることができるコンピュータプログラム。
【請求項１４】
請求項１３に記載のコンピュータプログラムを記憶したコンピュータ読み出し可能な記憶媒体。
【請求項１５】
プログラム命令を含み、該プログラム命令が端末によって実行される際に、該端末に請求項４又は５に記載の方法を実行させることができるコンピュータプログラム。
【請求項１６】
請求項１５に記載のコンピュータプログラムを記憶したコンピュータ読み出し可能な記憶媒体。
【発明の詳細な説明】
【技術分野】
【０００１】
本発明は端末管理技術分野に関し、特に端末管理方法及びシステム、サーバー、端末に関する。
【背景技術】
【０００２】
端末管理タスクにおいて、機器、ユーザ或いはサーバーにより管理タスクを開始し、機器がサーバーに接続してセッションを開始し、サーバーはクライアントを認証した後に、サーバーによる一連の管理命令、例えばGet（装置パラメータを収集する）、Replace(装置パラメータを設定する)及びExec(アップグレードを実行する)等の命令を送信する。この過程において、サーバーはいくつかの通知(Alert)を送信してユーザに提示する可能性がある。関連技術において、ＯＭＡ-ＤＭ(open mobile alliance - device management、オープンモバイルアライアンス(Open Mobile Alliance)が規定している端末管理)プロトコルにおける提示方式はいずれもプレーンテキストに基づく通知方式であり、比較的簡単であるユーザ提示需要、例えばユーザに現在に使用可能な更新がないこと、最新の状態へ更新するのに２回アップグレード必要がある、アップグレードに携帯電話を再起動する必要があること、アップグレードする希望があるか否か等のみを満たすことができる。
【０００３】
しかし、従来、Alert通知方式に基づくサーバーは、ユーザにいくつかの簡単なプレーンテキスト情報のみをプッシュしてユーザ提示を行い、ユーザにフォーマット付きの文字情報(テキスト情報)、画像情報又はビデオ情報をプッシュ(プッシュ送信)してユーザ提示を行うことができなく、多様化と個性化のユーザ提示需要を満たすことができない。例えば、ＳＤ(Secure Digital memory card)アップグレードパッケージ或いはＲＯＭパッケージを発表した際に、ユーザに画像と文字付きの紹介情報、フォーマット付きのユーザレビュー情報を発信して、ユーザにより親しみやすくアップグレード機能を体験させることができず、或いは、オペレータに新しいサービスがあり、特徴機能を文字、画像或いはビデオ情報でユーザにプッシュすることができない際、或いはユーザがアップグレード過程においてアップグレードが成功できないことを引き起こす問題に出くわした際に、オペレータは、ユーザに、フィードバック情報を収集するフォーマット付きのテキスト等を送信することができない。
【発明の概要】
【発明が解決しようとする課題】
【０００４】
本発明の実施例は、端末管理方法及びシステム、サーバー、端末を提供して、端末を管理する過程において、サーバーが、ユーザに、フォーマット付きの文字（テキスト）情報、画像情報又はビデオ情報を送信してユーザ提示を行うことができない問題を解決する。
【課題を解決するための手段】
【０００５】
本発明の実施例による端末管理方法は、
サーバーが、端末でユーザに提示するためのリッチテキスト情報を設定するステップ、及び
サーバーが、現在管理する端末の識別情報に基づき、対応するリッチテキスト情報を選択して、ＯＭＡ-ＤＭプロトコルの通知命令の新しく増加した拡張フィールドに加え、且つ前記通知命令を前記端末に送信し、前記端末が前記リッチテキスト情報に基づきユーザに提示するようにするステップを含む。
【０００６】
好ましくは、上記方法は、
前記リッチテキスト情報を前記拡張フィールドに加える前に、前記リッチテキスト情報をコーディングして、前記リッチテキスト情報をコーディングするコーディングフォーマット情報を前記拡張フィールドに加えて、前記端末が前記リッチテキスト情報をデコーディングするようにするステップ、
或いは
前記リッチテキスト情報を前記拡張フィールドに加える前に、前記リッチテキスト情報を暗号化して、前記リッチテキスト情報を暗号化する暗号化アルゴリズム情報を前記拡張フィールドに加えて、前記端末が前記リッチテキスト情報を復号化するようにするステップ、
或いは
前記リッチテキスト情報を前記拡張フィールドに加える前に、前記リッチテキスト情報を暗号化してコーディングし、前記リッチテキスト情報をコーディングするコーディングフォーマット情報及び前記リッチテキスト情報を暗号化する暗号化アルゴリズム情報を前記拡張フィールドに加えて、前記端末が前記リッチテキスト情報をデコーディングして復号化するようにするステップを更に含む。
【０００７】
好ましくは、前記リッチテキスト情報は、ＨＴＭＬフォーマットデータ或いはウェブアドレスを含む。
【０００８】
同様に、上記の技術的課題を解決するために、本発明は他の端末管理方法を更に提供し、端末が、ＯＭＡ-ＤＭプロトコルの通知命令の新しく増加した拡張フィールドからリッチテキスト情報を抽出し、前記リッチテキスト情報に基づきユーザに提示する。
【０００９】
好ましくは、前記リッチテキスト情報に基づきユーザに提示する前に、
前記通知命令の拡張フィールドからコーディングフォーマット情報を抽出して、それから前記コーディングフォーマット情報に基づき前記リッチテキスト情報をデコーディングするステップ、
或いは
前記通知命令の拡張フィールドから暗号化アルゴリズム情報を抽出して、前記暗号化アルゴリズム情報に基づき前記リッチテキスト情報を復号化するステップ、
或いは
前記通知命令の拡張フィールドからコーディングフォーマット情報及び暗号化アルゴリズム情報を抽出して、前記コーディングフォーマット情報及び暗号化アルゴリズム情報に基づき前記リッチテキスト情報をデコーディングして復号化するステップを更に含む。
【００１０】
好ましくは、前記リッチテキスト情報は、ＨＴＭＬフォーマットデータを含み、前記リッチテキスト情報に基づきユーザに提示するステップは、前記端末がローカルのブラウザコントロールをコールして前記ＨＴＭＬフォーマットデータを表示することを含み、或いは
前記リッチテキスト情報は、ウェブアドレスを含み、前記リッチテキスト情報に基づきユーザに提示するステップは、前記端末がローカルのブラウザコントロールをコールして前記ウェブアドレスを開き、且つ前記ウェブ・アドレスに対応するウェブページ内容を表示することを含む。
【００１１】
同様に、上記の技術的課題を解決するために、本発明の実施例は他の端末管理方法を更に提供し、以下のステップを含む。
サーバーが、端末でユーザに提示するためのリッチテキスト情報を設定し、
サーバーが、現在管理する端末の識別情報に基づき対応するリッチテキスト情報を選択して、ＯＭＡ-ＤＭプロトコルの通知命令の新しく増加した拡張フィールドに加え、且つ前記通知命令を前記端末に送信し、
前記端末が、ＯＭＡ-ＤＭプロトコルの通知命令の新しく増加した拡張フィールドからリッチテキスト情報を抽出し、前記リッチテキスト情報に基づきユーザに提示する。
【００１２】
同様に、上記の技術的課題を解決するために、本発明の実施例はサーバーを更に提供し、設定モジュール、処理モジュール及び送信モジュールを含み、
前記設定モジュールは、端末でユーザに提示するためのリッチテキスト情報を設定するように設定され、
前記処理モジュールは、管理対象の端末の識別情報に基づき対応するリッチテキスト情報を選択して、ＯＭＡ-ＤＭプロトコルの通知命令の新しく増加した拡張フィールドに加えるように設定され、
前記送信モジュールは、前記通知命令を前記端末に送信して、前記端末が前記リッチテキスト情報に基づきユーザに提示するように設定される。
【００１３】
好ましくは、前記サーバーは、コーディングモジュールを更に含み、前記コーディングモジュールは、前記処理モジュールが前記リッチテキスト情報を前記拡張フィールドに加える前に、前記リッチテキスト情報をコーディングするように設定され、
前記処理モジュールは更に、前記コーディングモジュールが前記リッチテキスト情報をコーディングするコーディングフォーマット情報を前記拡張フィールドに加え、前記端末がリッチテキスト情報をデコーディングするように設定され、
或いは
前記サーバーは、暗号化モジュールを更に含み、前記暗号化モジュールは、前記処理モジュールが前記リッチテキスト情報を前記拡張フィールドに加える前に、前記リッチテキスト情報を暗号化するように設定され、
前記処理モジュールは更に、前記暗号化モジュールが前記リッチテキスト情報を暗号化する暗号化アルゴリズム情報を前記拡張フィールドに加え、前記端末がリッチテキスト情報を復号化するように設定され、
或いは
前記サーバーは、暗号化モジュール及びコーディングモジュールを更に含み、前記暗号化モジュールは、前記処理モジュールが前記リッチテキスト情報を前記拡張フィールドに加える前に、前記リッチテキスト情報を暗号化するように設定され、
前記コーディングモジュールは、前記暗号化モジュールが暗号化したリッチテキスト情報をコーディングするように設定され、
前記処理モジュールは更に、前記リッチテキスト情報をコーディングするコーディングフォーマット情報及び前記リッチテキスト情報を暗号化する暗号化アルゴリズム情報を前記拡張フィールドに加えて、前記端末がリッチテキスト情報をデコーディングして復号化するように設定される。
【００１４】
好ましくは、前記リッチテキスト情報は、ＨＴＭＬフォーマットデータ或いはウェブアドレスを含む。
【００１５】
同様に、上記の技術的課題を解決するために、本発明の実施例は端末を更に提供し、抽出モジュール及び提示モジュールを含み、
前記抽出モジュールは、ＯＭＡ-ＤＭプロトコルの通知命令の新しく増加した拡張フィールドからリッチテキスト情報を抽出するように設定され、
前記提示モジュールは、前記リッチテキスト情報に基づきユーザに提示するように設定される。
【００１６】
好ましくは、前記端末は、デコーディングモジュールを更に含み、前記抽出モジュールは更に、前記通知命令の拡張フィールドからコーディングフォーマット情報を抽出するように設定され、前記デコーディングモジュールは、前記提示モジュールが前記リッチテキスト情報に基づきユーザに提示する前に、前記コーディングフォーマット情報に基づき前記リッチテキスト情報をデコーディングするように設定され、
或いは
前記端末は、復号化モジュールを更に含み、前記抽出モジュールは更に、前記通知命令の拡張フィールドから暗号化アルゴリズム情報を抽出するように設定され、前記復号化モジュールは、前記提示モジュールが前記リッチテキスト情報に基づきユーザに提示する前、前記暗号化アルゴリズム情報に基づき前記リッチテキスト情報を復号化するように設定され、
或いは
前記端末は、デコーディングモジュール及び復号化モジュールを更に含み、前記抽出モジュールは更に、前記通知命令の拡張フィールドからコーディングフォーマット情報及び暗号化アルゴリズム情報を抽出するように設定され、前記デコーディングモジュールは、前記提示モジュールが前記リッチテキスト情報に基づきユーザに提示する前に、前記コーディングフォーマット情報に基づき前記リッチテキスト情報をデコーディングするように設定され、前記復号化モジュールは、前記提示モジュールが前記リッチテキスト情報に基づきユーザに提示する前に、前記暗号化アルゴリズム情報に基づき、前記デコーディングモジュールがデコーディングした前記リッチテキスト情報を復号化するように設定される。
【００１７】
好ましくは、前記提示モジュールは、前記リッチテキスト情報がＨＴＭＬフォーマットデータを含む際に、前記端末のローカルのブラウザコントロールをコールして前記ＨＴＭＬフォーマットデータを表示し、前記リッチテキスト情報がウェブアドレスを含む際に、前記端末のローカルのブラウザコントロールをコールして前記ウェッブアドレスを開き、且つ前記ウェブアドレスに対応するウェブページ内容を表示するように設定される。
【００１８】
同様に、上記の技術的課題を解決するために、本発明の実施例は端末管理システムを更に提供し、サーバー及び端末を含み、
前記サーバーは、設定モジュール、処理モジュール及び送信モジュールを含み、
前記端末は、抽出モジュール及び提示モジュールを含み、
前記設定モジュールは、端末でユーザに提示するためのリッチテキスト情報を設定するように設定され、
前記処理モジュールは、現在管理する前記端末の識別情報に基づき対応するリッチテキスト情報を選択して、ＯＭＡ-ＤＭプロトコルの通知命令の新しく増加した拡張フィールドに加えるように設定され、
前記送信モジュールは、前記通知命令を前記端末に送信するように設定され、
前記抽出モジュールは、ＯＭＡ-ＤＭプロトコルの通知命令の新しく増加した拡張フィールドからリッチテキスト情報を抽出するように設定され、
前記提示モジュールは、前記リッチテキスト情報に基づきユーザに提示するように設定される。
【００１９】
本発明の実施例はコンピュータプログラムを更に提供し、プログラム命令を含み、該プログラム命令がサーバーによって実行される際に、該サーバーに上記の方法を実行させることができる。
【００２０】
本発明の実施例はコンピュータプログラムを更に提供し、プログラム命令を含み、該プログラム命令が端末によって実行される際に、該端末に上記の方法を実行させることができる。
【００２１】
本発明の実施例は上記のいずれかのコンピュータプログラムを記憶したコンピュータ読み出し可能な記憶媒体を提供する。
【発明の効果】
【００２２】
本発明の実施例は、端末管理方法及びシステム、サーバー、端末を提供して、ユーザ端末にフォーマット付きの文字情報、画像情報或いはビデオ情報を送信してユーザに提示することができ、ユーザ体験を向上させる。本発明の実施例の方法においては、サーバーは、ＯＭＡ-ＤＭプロトコルの通知命令によってリッチテキスト情報を端末に送信してユーザに提示し、リッチテキストフォーマットの特性によって、それはフォーマット付きの文字情報、画像情報或いはビデオ情報を含むことができ、そのために、本発明の実施例の情報送信方法を採用して、サーバーは、ユーザにフォーマット付きの文字、画像、ビデオ等情報をプッシュしてユーザ提示を行うことができ、いくつかの簡単な文字情報だけを提示するだけではなく、従来の技術と比べて、サーバーは柔軟に通知メッセージを送信することができるようになり、かなりの程度で端末管理過程におけるユーザ体験を改善して、且つ端末管理タスクを使用するユーザをよりよくサポートすることができる。
【図面の簡単な説明】
【００２３】
【図１】図１は、本発明の実施例１による端末管理方法を示すフローチャートである。
【図２】図２は、本発明の実施例３による端末管理方法を示すフローチャートである。
【図３】図３は、本発明の実施例３による他の端末管理方法を示すフローチャートである。
【図４】図４は、本発明の実施例４による第１種類サーバーを示す構造模式図である。
【図５】図５は、本発明の実施例４による第２種類サーバーを示す構造模式図である。
【図６】図６は、本発明の実施例４による第３種類サーバーを示す構造模式図である。
【図７】図７は、本発明の実施例４による第４種類サーバーを示す構造模式図である。
【図８】図８は、本発明の実施例５による第１種類端末を示す構造模式図である。
【図９】図９は、本発明の実施例５による第２種類端末を示す構造模式図である。
【図１０】図１０は、本発明の実施例５による第３種類端末を示す構造模式図である。
【図１１】図１１は、本発明の実施例５による第４種類端末を示す構造模式図である。
【図１２】図１２は、本発明の実施例６による端末管理システムを示す構造模式図である。
【発明を実施するための形態】
【００２４】
以下、図面を参照しながら本発明の実施例について詳細に説明する。矛盾が生じない場合には、本発明の実施例及び実施例における特徴は互いに任意に組み合わせることができる。
【００２５】
実施例１
従来の通知提示方法で、サーバーは端末機器に簡単な文字情報のみを送信してユーザに提示することができるだけで、端末へ画像情報、ビデオ情報或いはフォーマット付きの文字情報を送信してユーザに提示することができない問題を考えて、本実施例は端末管理方法を提供して、実行主体はサーバーであり、図１に示すように、以下のステップを含む。
【００２６】
ステップ１０１： サーバーは、端末でユーザに提示するためのリッチテキスト情報を設定する。
【００２７】
本実施例の方法において、サーバーは、異なる端末に対して異なるリッチテキスト情報を設定することができ、管理過程において、管理対象の端末に対応するリッチテキスト情報を該管理対象の端末に送信する。
【００２８】
本実施例におけるリッチテキスト情報は、リッチテキストフォーマットデータを含み、画像情報、ビデオ情報、フォーマット付きの文字情報の中の少なくとも１種類の情報を少なくとも含んでいればよく、本実施例のリッチテキスト情報はその他のフォーマットの情報を更に含んいてもよい。
【００２９】
本実施例の方法において、実際の必要に応じてサーバーにユーザーのニーズに適合するリッチテキスト情報を設定することができ、例えば新しいサービスを受信する画像情報又はビデオ情報を設定する。
【００３０】
ステップ１０２： サーバーは、現在管理する端末の識別情報に基づき対応するリッチテキスト情報を選択して、ＯＭＡ-ＤＭプロトコルの通知命令の新しく増加した拡張フィールドに加え、且つ前記通知命令を前記端末に送信する。
【００３１】
本実施例の方法は、サーバーが端末を管理する過程に応用でき、この時、サーバーによってユーザに提示するためのリッチテキスト情報を端末に送信するため、端末は、リッチテキスト情報に基づきユーザに提示する。本実施例の方法において、端末によって現在の管理タスクを開始してもよいし、サーバーによって現在の管理タスクを開始してもよい。
【００３２】
サーバーでは、異なる端末に対して異なるリッチテキスト情報を設定するため、端末を管理する過程において、現在の管理対象の端末に対応するリッチテキスト情報を選択して端末に送信する必要がある。本実施例の方法は、端末の識別情報によって、端末に対応するリッチテキスト情報を選択する。
【００３３】
本実施例では、端末の識別情報は、端末機器の型番及び端末機器のバージョン番号、或いはその他の端末を区分できる識別情報を含んでいてよい。
【００３４】
本実施例の端末管理方法は、元のプロトコルにおける命令を修正して、リッチテキスト情報を該命令に加えて端末に送信することによって、リソースを節約することができる。
【００３５】
好ましくは、ＯＭＡ-ＤＭプロトコルにおけるAlert命令を拡張することができ、Alert命令に１つのDataフィールドを増加してリッチテキスト情報をキャリーすることに用い、Alert命令によって元のAlert命令における文字情報と新しく増加したリッチテキスト情報とを端末に送信して、端末がユーザに提示することに用いられる。
【００３６】
本実施例による端末管理方法は、Alert命令によってリッチテキスト情報を端末に送信してユーザに提示し、リッチテキストフォーマットの特性によって、フォーマット付きの文字情報、画像情報或いはビデオ情報を含んでいてもよいため、そのために、本実施例の情報送信方法を採用して、サーバーはユーザにフォーマット付きの文字、画像、ビデオ等の情報をプッシュして提示することができ、いくつかの簡単な文字情報のみを提示するだけではなく、従来の技術と比べて、サーバーは柔軟に通知メッセージを送信することができるようになり、かなりの程度で端末管理過程におけるユーザ体験を改善することができ、且つ端末管理タスクを使用するユーザをよりよくサポートすることができる。
【００３７】
データ伝送を容易にし或いはＯＭＡ-ＤＭプロトコル要求を満たすために、本実施例の端末管理方法は、前記リッチテキスト情報を前記拡張フィールドに加える前に、前記リッチテキスト情報をコーディングするステップを更に含んでもよい。端末側がデコーディングできるようにするために、本実施例の方法は更に、前記リッチテキスト情報をコーディングするコーディングフォーマット情報を前記拡張フィールドに加えて、前記端末がリッチテキスト情報をデコーディングすることを提供する。
【００３８】
データ伝送の安全性を考えて、本実施の端末管理方法は、前記リッチテキスト情報をコーディングした後に、前記リッチテキスト情報を前記拡張フィールドに加える前に、前記リッチテキスト情報を暗号化することを更に含んでもよく、端末端がデコーディングしてリッチテキスト情報を取得するために、本実施例の方法は、前記リッチテキスト情報を暗号化する暗号化アルゴリズム情報を前記拡張フィールドに加えて、前記端末がデコーディングしたリッチテキスト情報を復号化することを更に含んでもよい。
【００３９】
本実施例の端末管理方法は、更に前記リッチテキスト情報を前記拡張フィールドに加える前に、前記リッチテキスト情報を暗号化してコーディングすることができ、それから前記リッチテキスト情報をコーディングするコーディングフォーマット情報及び前記リッチテキスト情報を暗号化する暗号化アルゴリズム情報を前記拡張フィールドに加えて、前記端末がリッチテキスト情報をデコーディングして復号化するようにする。
【００４０】
優先的に、本実施例は更に、拡張フィールドにリッチテキスト情報のタイプを加えることができ、端末に提示することに用いる。
【００４１】
本実施例におけるリッチテキスト情報は、ＨＴＭＬ（ハイパーテキストマークアップ言語(Hypertext Markup Language)）フォーマットデータ或いはウェブアドレスを含んでもよく、ＨＴＭＬフォーマットデータを含む際に、端末は、ＨＴＭＬフォーマットデータを受信した後に、ローカルのブラウザコントロールをコールしてＨＴＭＬフォーマットデータを実現し、ウェブアドレスを含む際に、端末はウェブアドレスを受信した後に、ローカルのブラウザコントロールをコールして該ウェブアドレスを開き、ウェブアドレスに対応するウェブページ内容をユーザに表示する。このようにして、ユーザは、直接にウェブアドレスの中の文字(テキスト)、画像、ビデオ等の提示情報を見ることができ、ユーザは、ウェブサイトの中でいくつかのインタラクションを行うことができ、例えばいくつかのレビュー情報を調べ、いくつかのアップグレードの問題等の操作を提出し、大幅にユーザ体験を向上させる。
【００４２】
以下、本実施例のAlert命令を拡張する詳細的な過程を説明する。
１． ＯＭＡ-ＤＭプロトコルにおけるAlert命令を拡張して、Alert命令にDataフィールドを増加してリッチテキスト情報をキャリーすることに用いる。
【００４３】
２． Alertにおけるdataフィールドの内容を増加し、それは、DATATYPE（データタイプ）、ENCODE（データコーディングフォーマット）、ENCRYPT(データの暗号化アルゴリズム)及びDATAデータ（即ちリッチテキストデータ）を含んでもよい。
【００４４】
リッチテキスト情報をコーディングして暗号化した後だけに、ENCODE及びENCRYPTを加えることができ、リッチテキスト情報をコーディングして暗号化していないと、ENCODE及びENCRYPTを加える必要がない。
【００４５】
３． サーバーは需要に応じて、端末にＨＴＭＬフォーマットのリッチテキストデータを送信する際に、DATATYPE=RICHTEXTを定義し、端末は、データを受信した後に、DATATYPEがRICHTEXTであると判断し、その後、ENCODE（データコーディングフォーマット）とENCRYPT(データの暗号化アルゴリズム) に基づき、DATAデータに対して対応するデコーディングと復号化を行ってＨＴＭＬフォーマットデータを取得し、それから直接にローカルのブラウザコントロールをコールして表示し、追加の開発を必要としない。以下は、ＨＴＭＬフォーマットデータを送信する際に、dataフィールドの定義内容である。
【００４６】
<Alert>
<CmdID>2</CmdID>
<Data>1105</Data>
<Item><Data>DATATYPE=RICHTEXT</Data></Item>
<Item><Data>ENCODE=BASE64</Data></Item>         
<Item><Data>ENCRYPT=DES</Data></Item>
<Item>    <Data>PGgxPk1hbmFnZW1lbnQgaW4gcHJvZ3Jlc3M8L2gxPgo8YnIgLz4KPHN0cm9uZz5wbGVhc2Ugc2VlIHRoZSBwaWN0dXJlPC9zdHJvbmc+CjxiciAvPgo8aW1nIHNyYz0iaHR0cDovL3d3dy56dGUuY29tLmNuL2NuL2ltYWdlcy9tYXAwMS5naWYiIC8+</Data>
</Item>
</Alert>
【００４７】
DATATYPE=RICHTEXTは、クライアントにリッチテキスト情報を表示する必要があることを表す。
ENCODE=BASE64は、データをbase 64を採用してコーディングすることを表す。
ENCRYPT=DESは、データをデコーディングした後に更に復号化する必要があることを表し、この値は省略でき、ENCRYPTパラメータを送信しないと,データを復号化する必要がない。
DATAは、データを表し、デコーディングし復号化した後にｈｔｍｌデータを取得し、クライアントは直接にブラウザプラグインで表示する。
【００４８】
<h1>Management in progress</h1>
<br />
<strong>please see the picture</strong>
<br />
<img src="http://www.zte.com.cn/cn/images/map01.gif" />
【００４９】
４． サーバーは需要に応じて、端末に１つのウェブアドレスを送信する際に、DATATYPE=URLを定義し、端末はデータを受信した後に、DATATYPEがＵＲＬであると判断した後に、ENCODEのコーディングタイプとENCRYPTデータ暗号化タイプとに基づき、対応するデコーディングと復号化を行ってウェブアドレスを取得し、端末は直接にローカルのブラウザコントロールをコールしてウェブアドレスを開く。以下はウェブアドレスを送信する際に、dataフィールドの定義内容である。
【００５０】
<Alert>
<CmdID>2</CmdID>
<Data>1105</Data>
<Item><Data>DATATYPE=URL</Data></Item>
<Item><Data>ENCODE=BASE64</Data></Item>        
<Item><Data>ENCRYPT=DES</Data></Item>
<Item>
<Data>aHR0cDovL3d3dy56dGUuY29tLmNu</Data>
</Item>
</Alert>
【００５１】
DATATYPE=URLは、クライアントに１つのウェブアドレスを表示する必要があることを表す。
ENCODE=BASE64は、データをbase 64でコーディングすることを表す。
ENCRYPT=DESは、データをデコーディングした後に更に復号化する必要があることを表し、この値は省略でき、ENCRYPTパラメータを送信しないと、データを復号化する必要がない。
DATAは、データを表し、デコーディングし復号化した後にウェブアドレスを取得し、クライアントは直接にブラウザプラグインでウェブページを開く。
【００５２】
本実施例の端末管理方法は、端末に画像情報、ビデオ情報或いはフォーマット付きの文字情報をプッシュすることができ、ユーザ体験を大幅に向上させる。
【００５３】
実施例２
本実施例は端末管理方法を提供して、実行主体は端末であり、
端末は、ＯＭＡ-ＤＭプロトコルの通知命令の新しく増加した拡張フィールドからリッチテキスト情報を抽出し、前記リッチテキスト情報に基づきユーザに提示する。
【００５４】
本実施例の方法において、端末は、管理端であるサーバーが送信したリッチテキスト情報を取得することができ、例えば画像情報又はビデオ情報を含むことができ、それから画像情報又はビデオ情報をユーザに表示してユーザに提示する効果を果たす。
【００５５】
本実施例の提示方法は、ユーザに画像情報、ビデオ情報或いはフォーマット付きの文字情報を表示することができ、ユーザ体験を大幅に向上させる。
【００５６】
サーバーがリッチテキスト情報をコーディングした際に、端末は、抽出したリッチテキスト情報をデコーディングする必要があり、具体的に、本実施例の端末管理方法は、前記リッチテキスト情報に基づきユーザに提示する前に、前記通知命令の拡張フィールドからコーディングフォーマット情報を抽出して、それから前記コーディングフォーマット情報に基づき前記リッチテキスト情報をデコーディングするステップを更に含む。
【００５７】
サーバーがリッチテキスト情報を暗号化する際に、端末は更に、抽出したリッチテキスト情報を復号化する必要があり、上記方法の上で、本実施例の端末管理方法は、前記リッチテキスト情報に基づきユーザに提示する前に、前記通知命令の拡張フィールドから暗号化アルゴリズム情報を抽出して、前記暗号化アルゴリズム情報に基づき、前記リッチテキスト情報を復号化するステップを更に含む。
【００５８】
サーバーがリッチテキスト情報を暗号化及びコーディングした際に、端末は、抽出したリッチテキスト情報をデコーディング及び復号化する必要があり、上述の方法に基づいて、本実施例の端末管理方法は、前記リッチテキスト情報に基づきユーザに提示する前に、前記通知命令の拡張フィールドからコーディングフォーマット情報及び暗号化アルゴリズム情報を抽出して、前記コーディングフォーマット情報及び暗号化アルゴリズム情報に基づき、前記リッチテキスト情報をデコーディングして復号化するステップを更に含む。
【００５９】
本実施例の端末管理方法において、受信したリッチテキスト情報がＨＴＭＬフォーマットデータである際に、本実施例の提示方法において、前記リッチテキスト情報に基づきユーザに提示するステップは、前記端末がローカルのブラウザコントロールをコールして前記ＨＴＭＬフォーマットデータを表示することを含む。
【００６０】
受信したリッチテキスト情報がウェブアドレスである際に、本実施例の提示方法において、前記リッチテキスト情報に基づきユーザに提示するステップは、前記端末がローカルのブラウザコントロールをコールして前記ウェブアドレスを開き、且つ前記ウェブアドレスに対応するウェブページ内容を表示することを含む。
【００６１】
実施例３
図２に示すように、本実施例は端末管理方法を提供して、実行主体はサーバーと端末であり、前記方法は以下のステップを含む。
ステップ２０１： サーバーは、端末でユーザに提示するためのリッチテキスト情報を設定する。
【００６２】
ステップ２０２： サーバーは、現在管理する端末の識別情報に基づき、対応するリッチテキスト情報を選択して、ＯＭＡ-ＤＭプロトコルの通知命令の新しく増加した拡張フィールドに加え、且つ前記通知命令を前記管理対象の端末に送信する。
ステップ２０３： 前記管理対象の端末は、ＯＭＡ-ＤＭプロトコルの通知命令の新しく増加した拡張フィールドからリッチテキスト情報を抽出し、前記リッチテキスト情報に基づきユーザに提示する。
【００６３】
本実施例の端末管理方法は、ＯＭＡ-ＤＭプロトコルの通知命令によって、リッチテキスト情報を端末に送信してユーザに提示し、リッチテキストフォーマットの特性によって、それはフォーマット付きの文字情報、画像情報或いはビデオ情報を含むことができ、そのために、本発明の提示方法を採用して、サーバーは、ユーザにフォーマット付きの文字、画像、ビデオ等の情報をプッシュしてユーザ提示を行うことができ、いくつかの簡単な文字情報だけを提示するだけではなく、従来の技術と比べて、サーバーは柔軟に通知メッセージを送信することができるようになり、かなりの程度で端末管理過程におけるユーザ体験をを改善して、且つ端末管理タスクを使用するユーザをよりよくサポートすることができる。また、本実施例の方法は、元のＯＭＡ-ＤＭプロトコルの通知命令を修正する必要だけであり、実施しやすく、コストが低い。
【００６４】
以下、具体的に本実施例の端末管理方法について説明し、図３に示すようになる。
ステップ３０１： サーバーは、端末にプッシュする必要があるユーザに提示するためのリッチテキスト情報を設定する。
【００６５】
ステップ３０２： 端末又はサーバーは、管理タスクを開始して、前記端末がサーバーに接続する。
【００６６】
ステップ３０３： サーバーは、前記端末を認証して、端末の型番とバージョン番号を取得する。
【００６７】
ステップ３０４： サーバーは、取得した型番とバージョン番号のデータに基づき、対応する予め設定されたリッチテキスト情報をAlert命令における拡張フィールドに加えて、端末に送信する。
【００６８】
具体的に、リッチテキスト情報をコーディング及び/又は暗号化した後に再びAlert命令に加えてもよく、それからコーディングするコーディングフォーマット情報及び/又は暗号化する暗号化アルゴリズム情報を同時にAlert命令に加えて端末に送信する。
【００６９】
ステップ３０５： 端末は、通知命令を受信した後に、リッチテキスト情報を抽出して、デコーディングと復号化を行った後に、ローカルのブラウザコントロールを利用して表示する。
【００７０】
端末は、Alert命令を受信した後に、Alert命令からリッチテキスト情報を抽出し、それからコーディングフォーマット情報と暗号化アルゴリズム情報を抽出して、リッチテキスト情報をデコーディングして復号化し、最終的に、ローカルのブラウザコントロールをコールして表示する。リッチテキスト情報がＨＴＭＬフォーマットデータである際に、直接にローカルのブラウザコントロールをコールしてＨＴＭＬフォーマットデータを表示し、リッチテキスト情報がウェブアドレスである際に、ローカルのブラウザコントロールをコールしてウェブアドレスを開き、ウェッブアドレスに対応するウェブページ内容をユーザに表示する。
【００７１】
ステップ３０６： ユーザが操作した後に、端末は、サーバーに処理結果を返し、本回のタスクが終了する。
【００７２】
実施例４
図４に示すように、本実施例はサーバーを提供して、設定モジュール４０１、処理モジュール４０２及び送信モジュール４０３を含む。
前記設定モジュール４０１は、端末でユーザに提示するためのリッチテキスト情報を設定するように設定される。
前記処理モジュール４０２は、現在管理する端末の識別情報に基づき、対応するリッチテキスト情報を選択してＯＭＡ-ＤＭプロトコルの通知命令の新しく増加した拡張フィールドに加えるように設定される。
前記送信モジュール４０３は、前記通知命令を前記端末に送信して、前記端末が前記リッチテキスト情報に基づきユーザに提示するように設定される。
【００７３】
本実施例のサーバーは、ＯＭＡ-ＤＭプロトコルの通知命令によってフォーマット付きの文字情報、画像情報或いはビデオ情報を端末に送信してユーザに提示することに用いられ、ユーザ体験を大幅に向上させる。
【００７４】
データ伝送又はプロトコル要求を考えて、上述したサーバーを基本とした上で、図５に示すように、本実施例のサーバーの１種の改良手段は以下の通りである。前記サーバーは、コーディングモジュール４０４を更に含んでもよい。該コーディングモジュール４０４は、前記処理モジュール４０２が前記リッチテキスト情報を前記拡張フィールドに加える前に、前記リッチテキスト情報をコーディングするように設定される。この時、前記処理モジュール４０２は更に、前記コーディングモジュール４０４が前記リッチテキスト情報をコーディングするコーディングフォーマット情報を前記拡張フィールドに加え、前記端末がリッチテキスト情報をデコーディングするように設定される。
【００７５】
データ伝送の安全性を考えて、上述したサーバーを基本とした上で、図６に示すよ
うに、本実施例のサーバーの他の改良手段は以下の通りである。前記サーバーは、暗号化モジュール４０５を更に含む。前記暗号化モジュール４０５は、前記処理モジュール４０２が前記リッチテキスト情報を前記拡張フィールドに加える前に、前記リッチテキスト情報を暗号化するように設定される。この時、前記処理モジュール４０２は更に、前記暗号化モジュール４０５が前記リッチテキスト情報を暗号化する暗号化アルゴリズム情報を前記拡張フィールドに加え、前記端末がリッチテキスト情報を復号化するように設定される。
【００７６】
上記データ伝送を同時に考えると、上記サーバーの上で、図７に示すように、本実施例のサーバーの他の改良手段は以下の通りである。上述したサーバーは更に、暗号化モジュール４０５とコーディングモジュール４０４を同時に含んでもよい。前記暗号化モジュール４０５は、前記処理モジュール４０２が前記リッチテキスト情報を前記拡張フィールドに加える前に、前記リッチテキスト情報を暗号化するように設定され、前記コーディングモジュール４０４は、前記暗号化モジュール４０５が暗号化したリッチテキスト情報をコーディングするように設定され、この時、前記処理モジュール４０２は更に、前記リッチテキスト情報をコーディングするコーディングフォーマット情報及び前記リッチテキスト情報を暗号化する暗号化アルゴリズム情報を前記拡張フィールドに加えて、前記端末がリッチテキスト情報をデコーディングして復号化するように設定される。
【００７７】
優先的に、本実施例において、前記リッチテキスト情報は、ＨＴＭＬフォーマットデータ或いはウェブアドレスを含む。
【００７８】
本実施例におけるサーバーは、ユーザにフォーマット付きの文字、画像、ビデオ等の情報をプッシュして提示することができ、いくつかの簡単な文字情報を提示するだけではなく、かなりの程度でユーザのアップグレード機能の体験を改善することができる。
【００７９】
実施例５
図８に示すように、本実施例は端末を更に提供し、抽出モジュール８０１と提示モジュール８０２を含む。
前記抽出モジュール８０１は、ＯＭＡ-ＤＭプロトコルの通知命令の新しく増加した拡張フィールドからリッチテキスト情報を抽出するように設定される。
前記提示モジュール８０２は、前記リッチテキスト情報に基づき、ユーザに提示するように設定される。
【００８０】
本実施例による端末は、フォーマット付きの文字、画像、ビデオ等の情報を利用してユーザに提示することができ、ユーザ体験を向上させる。
【００８１】
端末を管理するサーバーがリッチテキスト情報をコーディングする状況を考えて、図９に示すように、上述した端末を基本とした上で、本実施例の端末は、デコーディングモジュール８０３を更に含んでもよい。前記抽出モジュール８０１は更に、前記通知命令の拡張フィールドからコーディングフォーマット情報を抽出するように設定される。前記デコーディングモジュール８０３は、提示モジュール８０２が前記リッチテキスト情報に基づきユーザに提示する前に、前記コーディングフォーマット情報は前記リッチテキスト情報をデコーディングするように設定される。
【００８２】
端末を管理するサーバーがリッチテキスト情報を暗号化する状況を考えて、図１０に示すように、上述した端末を基本とした上で、本実施例の端末は、復号化モジュール８０４を更に含んでもよい。前記抽出モジュール８０１は更に、前記通知命令の拡張フィールドから暗号化アルゴリズム情報を抽出するように設定される。前記復号化モジュール８０４は、提示モジュールが前記リッチテキスト情報に基づきユーザに提示する前に、前記暗号化アルゴリズム情報に基づき前記リッチテキスト情報を復号化するように設定される。
【００８３】
端末を管理するサーバーがリッチテキスト情報を暗号化及びコーディングする状況を同時に考えて、図１１に示すように、上述した端末を基本とした上で、本実施例の端末は、デコーディングモジュール８０３及びと復号化モジュール８０４を更に同時に含んでもよい。この時、前記抽出モジュール８０１は更に、前記通知命令の拡張フィールドからコーディングフォーマット情報及び暗号化アルゴリズム情報を抽出するように設定される。前記デコーディングモジュール８０３は、提示モジュール８０２が前記リッチテキスト情報に基づきユーザに提示する前に、前記コーディングフォーマット情報に基づき前記リッチテキスト情報をデコーディングすることに用いられる。前記復号化モジュール８０４は、提示モジュール８０２が前記リッチテキスト情報に基づきユーザに提示する前に、前記暗号化アルゴリズム情報に基づき、デコーディングモジュール８０３がデコーディングしたリッチテキスト情報を復号化するように設定される。
【００８４】
本実施例において、端末が受信したリッチテキスト情報は、ＨＴＭＬフォーマットデータ或いはウェブアドレスを含んでもよい。この２種の場合について、本実施例における提示モジュール８０２がユーザに提示する具体的な過程は、以下の通りである。
前記提示モジュール８０２は、前記リッチテキスト情報がＨＴＭＬフォーマットデータを含む際に、前記端末のローカルのブラウザコントロールをコールして前記ＨＴＭＬフォーマットデータを表示し、前記リッチテキスト情報がウェブアドレスを含む際に、端末のローカルのブラウザコントロールをコールして前記ウェブアドレスを開き、且つ前記ウェブアドレスに対応するウェブページ内容を表示するように設定される。
【００８５】
本実施例の端末は、ユーザにフォーマット付きの文字情報、画像情報又はビデオ情報を表示して、ユーザ体験を向上させる。
【００８６】
実施例６
図１２に示すように、本実施例は端末管理システムを更に提供し、該システムは、サーバー４０と端末８０とを含む。
サーバー４０は、設定モジュール４０１、処理モジュール４０２及び送信モジュール４０３を含む。
端末８０は、抽出モジュール８０１及び提示モジュール８０２を含む。
【００８７】
前記設定モジュール４０１は、異なる端末に対応して、ユーザに提示するためのリッチテキスト情報を設定するように設定され、
前記処理モジュール４０２は、端末９０の識別情報に基づき、対応するリッチテキスト情報を選択して、ＯＭＡ-ＤＭプロトコルの通知命令の新しく増加した拡張フィールドに加えるように設定され、
前記送信モジュール４０３は、前記通知命令を前記端末９０に送信するように設定される。
前記抽出モジュール８０１は、ＯＭＡ-ＤＭプロトコルの通知命令の新しく増加した拡張フィールドからリッチテキスト情報を抽出するように設定され、
前記提示モジュール８０２は、前記リッチテキスト情報に基づきユーザに提示するように設定される。
【００８８】
本実施例の端末管理システムでは、サーバー４０は、ユーザにフォーマット付きの文字、画像、ビデオ等の情報をプッシュして提示することができ、いくつかの簡単な文字情報を提示するだけではなく、かなりの程度でユーザのアップグレード機能の体験を改善することができる。
【００８９】
本発明の実施例は、コンピュータプログラムを更に提供し、プログラム命令を含み、該プログラム命令がサーバーによって実行される際に、該サーバーに実施例１に記載の方法を実行させることができる。
【００９０】
本発明の実施例は、コンピュータプログラムを更に提供し、プログラム命令を含み、該プログラム命令が端末によって実行される際に、該端末に実施例２に記載の方法を実行させることができる。
【００９１】
本発明の実施例は、上記のいずれかのコンピュータプログラムを記憶したコンピュータ読み出し可能な記憶媒体を更に提供する。
【００９２】
当業者は、上記方法における全部又は一部のステップは、プログラムが関連のハードウェアに指令することにより完成することができ、前記プログラムは、コンピュータ読み出し可能な記憶媒体、例えば読み出し専用メモリ、ディスク又はＣＤなどに記憶することができることを理解することができる。選択的に、上記実施例の全部又は一部のステップは、１つ又は複数の集積回路を採用して達成することもできる。対応的には、上記実施例における各モジュール／ユニットはハードウェアの形式で達成してもよく、ソフトウェア機能モジュールの形式で達成してもよい。本発明は、いずれの特定形式のハードウェアとソフトウェアの組み合わせに限定されたものではない。
【００９３】
以上の内容は、具体的な実施形態を結合して本発明を更に詳細的に説明するものであり、本発明の具体的な実施は、これらの説明のみに制限されることはない。当業者にとって、本発明の技術的思想を逸脱しない前提で、若干の簡単な変更又は置換を行うことができ、本発明の保護範囲に属すべきである。
【産業上の利用可能性】
【００９４】
本発明の実施例は、サーバーが柔軟に通知メッセージを送信することができ、かなりの程度で端末管理過程におけるユーザ体験を改善することができ、且つ端末管理タスクを使用するユーザをよりよくサポートすることができる。
【図１】
0006502395.tif 000002
【図２】
0006502395.tif 000003
【図３】
0006502395.tif 000004
【図４】
0006502395.tif 000005
【図５】
0006502395.tif 000006
【図６】
0006502395.tif 000007
【図７】
0006502395.tif 000008
【図８】
0006502395.tif 000009
【図９】
0006502395.tif 000010
【図１０】
0006502395.tif 000011
【図１１】
0006502395.tif 000012
【図１２】
0006502395.tif 000013